(57)【要約】【課題】背面キャビネットに組付けられた機器ユニットが、正面キャビネットを一体化して製品化された後には正面キャビネットの側に移行し、分解点検を有利に実施し、製造移管による製品コストの低減要求に応えることができるテレビジョン装置を提供する。【解決手段】背面キャビネット２に突設された支え突起５の先端に、止めねじ７により着脱自在にホルダ部材を取付け、このホルダ部材にスピーカユニット３のボス部34をブッシュ35を介して嵌合保持する。ホルダ部材の先端に係合爪62を設け、この係合爪62を正面キャビネット１に突設された押え突起４の係合孔40に差し込み、弾性復帰により拡がって、係合孔40の周縁に係合するように構成とする。【選択図】図６
2010288027.tif 000002
【特許請求の範囲】
【請求項１】
画像表示パネルを正面開口からの視認可能に保持する正面キャビネットと、該正面キャビネットの背後に重ね合わせた背面キャビネットとの間に、前記画像表示パネルの周囲に配置されるべき機器ユニットを位置決め固定してあるテレビジョン装置において、
前記機器ユニットの固定用のボス部を嵌合保持するホルダ部材と、
該ホルダ部材の一端部を前記背面キャビネット又は正面キャビネットの一部に着脱自在に固定する固定手段と、
前記ホルダ部材の他端部に設けてあり、前記正面キャビネット又は背面キャビネットの一部に設けた係合孔の差し込みを許容し、抜け出し不可に係合する係合手段と
を備えることを特徴とするテレビジョン装置。
【請求項２】
前記固定手段は、前記ホルダ部材の一端面に設けたねじ孔と、前記背面キャビネット又は正面キャビネットの該当部位を貫通するねじ通し孔と、該ねじ通し孔を経て前記ねじ孔に螺合する止めねじとを備える請求項１に記載のテレビジョン装置。
【請求項３】
前記ホルダ部材と前記背面キャビネット又は正面キャビネットとの間に設けてあり、前記止めねじの締め付け及び緩め操作に伴う前記ホルダ部材の回転を止める手段を備える請求項２に記載のテレビジョン装置。
【請求項４】
前記係合手段は、前記ホルダ部材の一端部に立設された支柱と、該支柱の先端に設けた係合爪とを備え、該係合爪が、前記係合孔の差し込みを弾性変形により許容し、弾性復帰により前記係合孔の周縁部に係合する構成としてある請求項１から請求項３のいずれか１つに記載のテレビジョン装置。
【請求項５】
前記正面キャビネット及び背面キャビネットは、夫々との対向側に向けて突設され、前記機器ユニットのボス部を両側から挾持する突起部を備え、前記固定手段及び係合手段は、前記突起部に設けてある請求項１から請求項４のいずれか１つに記載のテレビジョン装置。
【請求項６】
前記機器ユニットのボス部に嵌着された弾性材料性のブッシュを備え、前記ホルダ部材は、前記ブッシュに嵌合してある請求項１から請求項５のいずれか１つに記載のテレビジョン装置。
【発明の詳細な説明】
【技術分野】
【０００１】
本発明は、正面キャビネットと背面キャビネットとを重ね合わせてなるキャビネットの内部に、画像表示パネルを、周辺機器と共に組み付けて構成されたテレビジョン装置に関する。
【背景技術】
【０００２】
近年、液晶パネル等の画像表示パネルを備える薄形のテレビジョン装置が広く普及している。この種のテレビジョン装置は、正面キャビネットと背面キャビネットとを重ね合わせて構成されたキャビネットの内部に、画像表示パネルと共に、スピーカ機器、チューナ機器等の周辺機器を組み込んで構成されている。
【０００３】
例えば、液晶パネルを画像表示パネルとして備える液晶テレビジョン装置は、液晶パネルの背後に、冷陰極蛍光管、ＬＥＤ等の光源と、導光板、光拡散シート等の光学部材とをユニット化してなるバックライトユニットを配置し、該バックライトユニットからの発光を液晶パネルの背面に均等に照射し、該照射光を液晶パネルにより変調して、該液晶パネルの正面側の表示面に画像を表示するように構成されている。バックライトユニットは、液晶テレビジョン装置は、液晶パネルを正面キャビネットに組み付ける一方、バックライトユニットを背面キャビネットに組み付け、両キャビネットを重ね合わせて一体化する手順により製造されている。
【０００４】
また、スピーカ機器、チューナ機器等、テレビジョン装置の構成に必要な周辺機器は、固定用のフランジ部又は座部を含めてユニット化された機器ユニットとして構成し、液晶パネルの周辺の余剰空間に配置して、前記フランジ部又は座部を介して前記正面キャビネット又は背面キャビネットに固定してある（例えば、特許文献１参照）。
【先行技術文献】
【特許文献】
【０００５】
【特許文献１】特開２００８−２９４９２３号公報
【発明の概要】
【発明が解決しようとする課題】
【０００６】
さて、以上の如き液晶テレビジョン装置においては、製品コストの低減を図ることを目的とし、人件費が低廉な途上国に製造を移管することが切望されているが、一方では、基幹部品である液晶パネルは、その周辺技術を含めて技術流出を防止する必要があって完全な製造移管を実現することは難しい。そこで現状においては、液晶パネルの製造及びモジュール化を国内で実施する一方、周辺機器の製造及び組立てを途上国で実施して、製品コストの低減と、技術流出の防止とを両立させた製造プロセスの実現が進められている。
【０００７】
この製造プロセスを実現するに当たっては、可及的に多くの工程を移管することが望ましく、スピーカ機器、チューナ機器等の周辺機器の機器ユニットの全てを、バックライトユニットと共に背面キャビネットに組み付けできるように構成し、これらの組み付けまでの工程を途上国で実施して、製造された組立て体を国内に移送し、パネルモジュールが組付けられた正面キャビネットと一体化して製品とすることが考えられる。
【０００８】
しかしながら、このように製造された液晶テレビジョン装置においては、例えば、製造販売の後に内部点検を実施すべく、正面キャビネットと背面キャビネットとを分解した場合に、全ての機器ユニットが背面キャビネットの側に残るため、これらと正面キャビネットの側のパネルモジュールとの間の配線の始末に手間を要し、また点検前後の動作確認の実施にも支障を来すという問題があった。
【０００９】
特許文献１には、機器ユニットの１つであるスピーカユニットの取付け構造が示されている。スピーカユニットは、特許文献１に開示されているように、パネルモジュールと共に正面キャビネットに固定されている。この理由の１つは、スピーカユニットが発生する音声出力の送出口が、一般的に正面キャビネットの前面に設けられることであるが、他の理由として、前述した点検時の分解に際し、スピーカユニットが正面キャビネットの側に残る方が望ましいことがある。
【００１０】
以上の問題は、液晶テレビジョン装置に限らず、プラズマ表示パネル等、他の画像表示パネルを備えるテレビジョン装置においても同様に発生する。
【００１１】
本発明は斯かる事情に鑑みてなされたものであり、組立て時に背面キャビネットに固定した機器ユニットが分解点検時には正面キャビネットに移行し、分解点検を有利に実施可能としながら、可及的に多くの工程を途上国に移管して製品コストの低減要求に応えることができるテレビジョン装置を提供することを目的とする。
【課題を解決するための手段】
【００１２】
本発明に係るテレビジョン装置は、画像表示パネルを正面開口からの視認可能に保持する正面キャビネットと、該正面キャビネットの背後に重ね合わせた背面キャビネットとの間に、前記画像表示パネルの周囲に配置されるべき機器ユニットを位置決め固定してあるテレビジョン装置において、前記機器ユニットの固定用のボス部を嵌合保持するホルダ部材と、該ホルダ部材の一端部を前記背面キャビネット又は正面キャビネットの一部に着脱自在に固定する固定手段と、前記ホルダ部材の他端部に設けてあり、前記正面キャビネット又は背面キャビネットの一部に設けた係合孔の差し込みを許容し、抜け出し不可に係合する係合手段とを備えることを特徴とする。
【００１３】
本発明において組立て時には、例えば、背面キャビネットに固定手段により一端部を着脱自在に固定したホルダ部材に機器ユニットのボス部を嵌合保持させ、背面キャビネットに機器ユニットを固定する。次に、背面キャビネットに正面キャビネットを重ね合わせるとき、ホルダ部材の他端部の係合手段が、正面キャビネットに設けた係合孔に差し込まれて係合する。組立て後に正面キャビネットと背面キャビネットとを分解する際にホルダ部材は、固定手段の固定を解除することで、機器ユニットの保持状態を維持したまま係合手段により係合する正面キャビネットの側に残る。
【００１４】
また本発明に係るテレビジョン装置は、前記固定手段が、前記ホルダ部材の一端面に設けたねじ孔と、前記背面キャビネット又は正面キャビネットの該当部位を貫通するねじ通し孔と、該ねじ通し孔を経て前記ねじ孔に螺合する止めねじとを備えることを特徴とする。
【００１５】
本発明においては、背面キャビネット又は正面キャビネットの固定部位に設けたねじ通し孔に通した固定ねじを、ホルダ部材の端面のねじ孔に螺合する構成により、着脱自在の固定手段を簡素に構成する。
【００１６】
また本発明に係るテレビジョン装置は、前記ホルダ部材と前記背面キャビネット又は正面キャビネットとの間に設けてあり、前記止めねじの締め付け及び緩め操作に伴う前記ホルダ部材の回転を止める手段を備えることを特徴とする。
【００１７】
本発明においては、背面キャビネット又は正面キャビネットのホルダ部材を固定する部位に回り止め手段を設け、ホルダ部材の回転を止めることにより、止めねじの締め付け及び緩め操作によるホルダ部材の着脱を確実に行わせる。
【００１８】
また本発明に係るテレビジョン装置は、前記係合手段が、前記ホルダ部材の一端部に立設された支柱と、該支柱の先端に設けた係合爪とを備え、該係合爪が、前記係合孔の差し込みを弾性変形により許容し、弾性復帰により前記係合孔の周縁部に係合する構成としてあることを特徴とする。
【００１９】
本発明においては、ホルダ部材の一端部に立設された支柱の先端の係合爪が、係合孔に差し込む際に弾性変形し、差し込み完了後に弾性復帰して係合孔に係合する簡素な構成により、ホルダ部材と正面キャビネット又は背面キャビネットとを確実に結合する。
【００２０】
また本発明に係るテレビジョン装置は、前記正面キャビネット及び背面キャビネットが、夫々との対向側に向けて突設され、前記機器ユニットのボス部を両側から挾持する突起部を備え、前記固定手段及び係合手段は、前記突起部に設けてあることを特徴とする。
【００２１】
本発明においては、正面キャビネット及び背面キャビネットに夫々との対向側に向けて突出する突起部を設け、これらの突起部により機器ユニットをボス部の両側から挾持して正面キャビネットと背面キャビネットとの間に位置決めする一方、前記突起部にホルダ部材との固定手段及び係合手段を設け、正面キャビネット及び背面キャビネットの外側への露出部分をなくし、見栄えの向上を図る。
【００２２】
また本発明に係るテレビジョン装置は、前記機器ユニットのボス部に嵌着された弾性材料性のブッシュを備え、前記ホルダ部材は、前記ブッシュに嵌合してあることを特徴とする。
【００２３】
本発明においては、機器ユニットのボス部とホルダ部材との間にゴムブッシュ等の弾性材料製のブッシュを介在させ、ブッシュは、機器ユニットと、正面キャビネット及び背面キャビネットとの間の振動の伝播を抑制する。
【発明の効果】
【００２４】
本発明に係るテレビジョン装置においては、機器ユニットの固定用のボス部を嵌合保持するホルダ部材の一端を着脱自在の固定手段により、例えば、背面キャビネットに固定し、この状態で重ね合わされる正面キャビネットをホルダ部材の他端に係合させて組立てを完了する一方、組立て完了後に分解する際には、固定手段の固定を解除することにより、ホルダ部材は、機器ユニットの保持状態を維持したまま係合手段により係合する正面キャビネットの側に残るから、分解点検を有利に実施することを可能としながら、機器ユニットの取付けを背面キャビネットの側に集約し、可及的に多くの工程を途上国に移管して製品コストの低減要求に応えることが可能となる等、本発明は優れた効果を奏する。
【図面の簡単な説明】
【００２５】
【図１】本発明に係るテレビジョン装置が備える正面キャビネットの外観斜視図である。
【図２】本発明に係るテレビジョン装置が備える背面キャビネットの外観斜視図である。
【図３】本発明のテレビジョン装置におけるスピーカユニットの取付け構造の説明図である。
【図４】背面キャビネットに設けられる支え突起の拡大斜視図である。
【図５】ホルダ部材の拡大斜視図である。
【図６】スピーカユニットの固定状態を示す断面図である。
【図７】スピーカユニットの固定手順の説明図である。
【図８】スピーカユニットの固定手順の説明図である。
【発明を実施するための形態】
【００２６】
以下本発明をその実施の形態を示す図面に基づいて詳述する。図１は、本発明に係るテレビジョン装置が備える正面キャビネットの外観斜視図、図２は、同じく背面キャビネットの外観斜視図である。
【００２７】
図１、図２に示すように正面キャビネット１及び背面キャビネット２は、矩形の平面形状を有し、皿形に成形された樹脂材料製の部材である。これらの正面キャビネット１及び背面キャビネット２を備えるテレビジョン装置は、例えば、液晶パネルを画像表示パネルとして備える液晶テレビジョン装置である。
【００２８】
図１に示すように正面キャビネット１には、４辺を適幅に余して矩形に開口する表示窓10が開設してある。正面キャビネット１の背面（図１に示された面）には、前記表示窓10の周囲に沿って、複数の位置決め突起11，11…が並設されており、液晶パネルを含むパネルモジュール（図示省略）は、液晶パネルの画像表示面を表示窓10の正面に向け、前記位置決め突起11，11…により４辺を拘束されて正面キャビネット１に固定保持されるようになしてある。
【００２９】
正面キャビネット１の背面は、表示窓10の一辺に沿う部分が広幅としてある。この広幅部分は、液晶テレビジョン装置としての設置時に下位置となる部分であり、種々の周辺機器の配置スペースを提供すべく設けてある。この配置スペースの長手方向両側は、音声出力のための一対のスピーカユニット３，３（図３参照）の配置に利用されており、夫々の位置に各２つの押え突起４，４が、長手方向に適長離隔して突設されている。
【００３０】
図２に示す背面キャビネット２は、正面キャビネット１と同形であり、該正面キャビネット１よりも深底に成形されている。この背面キャビネット２と前記正面キャビネット１とは、背面キャビネット２の正面（図２に示された面）を正面キャビネット１の背面に重ね、例えば、重ねられた両者の周縁部の複数箇所をねじ止めすることにより一体に接合されるようになしてある。
【００３１】
本発明に係るテレビジョン装置において、以上の如き正面キャビネット１と背面キャビネット２との接合は、正面キャビネット１にパネルモジュールを固定する一方、パネルモジュール以外の機器ユニットの大部分を背面キャビネット２に固定し、両者間での配線を実現した後に実施する。背面キャビネット２に固定する機器ユニットは、パネルモジュールの背後に配置されるバックライトユニット（図示省略）、音声出力のための一対のスピーカユニット３，３（図３参照）等を含む。
【００３２】
バックライトユニットは、冷陰極蛍光管、ＬＥＤ等の光源、導光板、光拡散シート等の光学部材をユニット化して構成されており、背面キャビネット２の正面中央部を広く覆うように固定される。このように固定されるバックライトユニットは、背面キャビネット２を正面キャビネット１に重ね合わせて接合することにより、該正面キャビネット１に固定されたパネルモジュールの背面に対向し、該パネルモジュールの全面に均等に光を照射する。パネルモジュールは、表示窓10の正面側から視認可能な表示面を有する液晶パネルを備えており、バックライトユニットからの照射光を液晶パネルの透過により変調し、前記表示面に画像を表示するように構成されている。
【００３３】
図２の上下は、図１の上下と対応している。背面キャビネット２の正面には、左右両側の下部に各２つの支え突起５，５が並設してある。これらの支え突起５，５は、左右一対のスピーカユニット３，３の夫々を後述のように固定すべく、正面キャビネット１に設けた前記押え突起４，４と整合する位置に設けてある。
【００３４】
背面キャビネット２の正面には、他の機器ユニットの位置決め用のリブ及び固定用のボスが複数突設され、また、冷却用の空気の吸気孔20，20…及び排気孔21，21…が開設されている。また、背面キャビネット２の下部縁面には、左右夫々の各２つの支え突起５，５の間に位置して、音声出力のための送出孔22，22が開設されている。
【００３５】
図３は、本発明のテレビジョン装置におけるスピーカユニットの取付け構造の説明図である。図示の如くスピーカユニット３は、スピーカ30、スピーカ台31及びカバー部材32とを備えている。スピーカ台31は、一方向に長い直方体の箱体であり、長手方向の中央部には、一面（図における下面）側に広く開口する音声出力口が設けてある。図３中の33は、音声出力口の鍔縁である。スピーカ30は、スピーカ台31の他面（図における上面）に、前記音声出力口に振動板を臨ませて固定されている。スピーカユニット３は、スピーカ30の取付け部分をカバー部材32により覆って、図３に示すように構成されている。
【００３６】
スピーカ台31は、長手方向の両端部に突設された固定用のボス部34，34を備えている。これらのボス部34，34には、ゴム製のブッシュ35，35が嵌着してあり、これらのブッシュ35，35には、夫々の軸心部を貫通する嵌合孔36，36（片側のみ図示）が設けてある。これらの嵌合孔36，36の方向は、図３に示すように、スピーカ30の取付け面、及び出力口32の開設面に対して直交する方向としてある。
【００３７】
以上の如く構成されたスピーカユニット３は、正面キャビネット１に突設された押え突起４と背面キャビネット２に突設された支え突起５との間に、ホルダ部材６及び止めねじ７を使用して以下の如くに固定されている。
【００３８】
押え突起４は、図１及び図３に示すように、正面キャビネット１の該当部分を背面側に向けて窪ませて形成された矩形断面の中空突起であり、底面の中央に、表裏に貫通形成された係合孔40を備えている。
【００３９】
図４は、背面キャビネット２に設けられる支え突起５の拡大斜視図である。支え突起５は、図２に示すように、背面キャビネット２の該当部分に、正面側に向けて略垂直に立ち上がるように設けた円筒形状を有する突起である。
【００４０】
支え突起５の頭部は、図３及び図４に示すように、天板50によって覆ってあり、該天板50には、中央部を表裏に貫通するねじ通し孔51が形成され、また周縁部の等配をなす位置に交互に配置された各２つのストッパ片52，52及び係合片53，53が設けてある。ストッパ片52，52は、天板50上で相互に略等しい高さを有する矩形ブロック状の突片である。係合片53，53は、天板50上で等しい高さを有するブロック状の突片であるが、これらは、前記ストッパ片52，52よりも高く、夫々の係合片53，53の基部には、周方向の同側に向けて開口する係合凹部54，54が形成してある。図４には、一方の係合片53に設けられた係合凹部54が図示されている。他方の係合片53の係合凹部54は、図４に示された面と逆側の面に開口している。
【００４１】
図５は、ホルダ部材６の拡大斜視図である。図示のようにホルダ部材６は、円柱形のホルダ本体60と、該ホルダ本体60の一端部に設けた係合片61，61と、他端部に設けた係合爪62とを備えている。ホルダ本体60は、スピーカユニット３のボス部34に設けた嵌合孔36に密に内嵌可能な外径を有している。またホルダ本体60の外径は、背面キャビネット２に設けた支え突起５の天板50上に並ぶストッパ片52，52及び係合片53，53の並設円の内側に密に嵌め込み可能に設定してある。
【００４２】
押え片61，61は、以上のようなホルダ本体60の一端部の外周に、径方向外向きに突設された矩形の突片である。押え片61，61の幅寸法（ホルダ本体60の周方向寸法）は、支え突起５の天板50上に並ぶストッパ片52と係合片53との間に差し込み可能に設定してあり、また押え片61，61の高さ寸法（ホルダ本体60の軸方向の寸法）は、前記係合片53に設けた係合凹部54への係合が可能となるように設定してある。このようなホルダ本体60の同側の端面の軸心部には、前記止めねじ７を螺合するためのねじ孔63が適宜の深さを有して形成してある。
【００４３】
一方係合爪62は、ホルダ本体60の他端面に同軸上に立設された支柱64の先端部に、該支柱64の基部に向けて斜めに拡がるように連設されている。係合爪62は、適宜の弾性を有しており、外部からの押圧により拡がりを減じ、支柱64の外側に沿った姿勢にまで変形可能である。また支柱64の基部には、ホルダ本体60の同側の端面を横切る矩形の基台65が設けてある。該基台65の長手方向の両端部は、前記押え突起４に設けた係合孔40に嵌め込み可能な円弧形に成形してある。係合爪62は、支柱64の外側に沿った姿勢に変形したとき、基台65の長さ範囲内に収まり、前記係合孔40に挿通可能としてある。
【００４４】
図６は、スピーカユニットの固定状態を示す断面図、図７、図８は、スピーカユニットの固定手順の説明図である。スピーカユニット３は、長手方向両端のボス部34に嵌着されたブッシュ35を、正面キャビネット１に突設された押え突起４と、背面キャビネット２の対応位置に突設された支え突起５との間に挾持し、図６に示すように固定される。
【００４５】
スピーカユニット３の組付けに当たっては、まず、背面キャビネット２に突設された支え突起５の先端にホルダ部材６を取付ける。この取付けは、図７（ａ）に示すように、支え突起５の先端に押え片61，61が設けられたホルダ部材６の一端を対向させ、該一端を支え突起５の天板50上に載置する。この載置は、支え突起５の天板50上に並ぶストッパ片52と係合片53との間に前記押え片61，61の夫々を差し込むことにより実現される。
【００４６】
このように天板50上にホルダ部材６を載置した場合、天板50の中央部を貫通するねじ通し孔51とホルダ部材６の端面に設けたねじ孔63とが整合する。次いで、図７（ｂ）に示すように、支え突起５の中空部に背面キャビネット２の外側から止めねじ７を差し込み、ねじ通し孔51を経てねじ孔63に螺合させ、該止めねじ７を締め付ける。
【００４７】
この締め付け初期にホルダ部材６は、止めねじ７の回転方向に回転し、押え片61，61の夫々が天板50上で滑り、係合片53，53に設けた係合凹部54，54に嵌まり込むように係合する。係合凹部54，54は、止めねじ７の締め付け方向にホルダ部材６が回転するとき、前記押え片61，61と係合するように設けてある。図４に示す係合凹部54，54は、止めねじ７として、右回転により締め付けがなされる一般的な右ねじ使用する場合に対応しており、左ねじの止めねじ７を用いる場合、係合凹部54，54の開口を逆向きとすればよい。
【００４８】
ホルダ部材６の回転は、係合凹部54，54の端面に押え片61，61が当接することによって止まり、ホルダ部材６は、その後の止めねじ７の締め付けにより、支え突起５の先端に固定される。このとき、図７（ｃ）に示すように、押え片61，61の夫々が係合凹部54，54に係合し、ホルダ部材６の軸長方向及び径方向の移動が拘束されるから、ホルダ部材６は、支え突起５の先端に、該支え突起５と同軸をなす姿勢で強固に一体化され、スピーカユニット３の取付け準備が完了する。
【００４９】
スピーカユニット３は、図８（ａ）に示すように、固定用のボス部34に嵌着されたブッシュ35を、支え突起５の先端に固定したホルダ部材６に整合させ、ブッシュ35に貫通形成された嵌合孔36をホルダ本体60に嵌め込むことにより、図８（ｂ）に示すように、背面キャビネット２側の支え突起５の先端に嵌合保持させて、背面キャビネット２に仮止めされる。
【００５０】
このようなスピーカユニット３の仮止めは、バックライトユニット等の他の機器ユニットの組付けと共に、人件費が低廉な途上国にて一括して実施することができる。一方、液晶テレビジョン装置の基幹部品である液晶表示パネルは、駆動回路と共にモジュール化して正面キャビネット１に組み付け固定し、スピーカユニット３を含む機器ユニットが組付けられた背面キャビネット２と重ね合わせて一体化し、液晶テレビジョン装置の組立てが完了する。
【００５１】
ホルダ部材６の先端面に設けた係合爪62は、拡がりを減じる方向の弾性変形により前述した嵌め込みの際の嵌合孔36が通過を許容し、通過後に弾性復帰により図８（ｂ）に示す状態となり、ホルダ本体60からのブッシュ35の抜け出しを防止する作用をなすから、スピーカユニット３が仮止めされた背面キャビネット２は、仮止め状態を維持したまま搬送することができる。
【００５２】
正面キャビネット１と背面キャビネット２を一体化するとき、正面キャビネット１に設けられた押え突起４は、支え突起５の先端に仮止めされたスピーカユニット３に対し、図８（ｂ）に示すようにを位置決めされ、該押え突起４の中央に設けた係合孔40にブッシュ35の外側に突出するホルダ部材６の先端部が嵌め込まれる。
【００５３】
図８（ｃ）は、嵌め込み途中の状態が示されている。ホルダ部材６の先端部に設けた係合爪62は、図示のように、先端の拡がりを減じるように弾性変形して係合孔40の通過を許容するから、正面キャビネット１は、押え突起４がブッシュ35の同側端面に当接する位置まで進行することができる。この進行により係合孔40は、係合爪62の先端を通過し、ホルダ本体60の先端に設けた基台65に嵌合して、スピーカユニット３は、図６に示すように、正面キャビネット１側の押え突起４と、背面キャビネット２側の支え突起５との間に、ボス部34の嵌着されたブッシュ35を両側から挾持した状態で固定される。
【００５４】
このとき、ホルダ本体60の先端の係合爪62は、係合孔40を通過した後、該係合孔40の拘束が解除されることで弾性復帰し、該係合爪62の先端は、図６に示すように、押え突起４の内側で拡がり、係合孔40の周縁に係合した状態となる。このようなスピーカユニット３の固定は、背面キャビネット２側の支え突起５と一体のホルダ部材６に嵌合保持されたブッシュ35の両側を、前記支え突起５と正面キャビネット１側の押え突起４との間に挾持された状態で実現され、スピーカユニット３は、両端のボス部34での固定により、正面キャビネット１と背面キャビネット２との間に強固に位置決め固定される。
【００５５】
なお係合爪62は、図示の構成に限らず、係合孔40の通過を弾性変形により許容し、通過後に弾性復帰して係合孔40の周縁に係合し得る適宜の構成とすることができる。またホルダ部材６の先端には、以上の如き係合爪に限らず、係合孔40の差し込みを許容し、抜け出し不可に係合し得る適宜の構成の係合手段を設けることができる。
【００５６】
またホルダ部材６の一端を背面キャビネット２に固定する固定手段は、実施の形態に示す止めねじ７に限らず、リベット等の他の固定手段とすることができる。
【００５７】
また、図６に示す固定状態において、正面キャビネット１、背面キャビネット２及びホルダ部材６と、スピーカユニット３との間には、ゴム製のブッシュ35が介在するから、音声出力に伴って生じるスピーカユニット３の振動をブッシュ35により吸収し、正面キャビネット１及び背面キャビネット２への伝播を防止することができる。
【００５８】
また、背面キャビネット２にホルダ部材６を固定する止めねじ７は、筒形をなす支え突起５の内側に位置し、正面キャビネット１にホルダ部材６を係合する係合爪64は、矩形に窪ませた押え突起４の内部に位置し、正面キャビネット１及び背面キャビネット２の外側に露出しないから、テレビジョン装置の見栄えを良好に保つことができる。
【００５９】
正面キャビネット１と背面キャビネット２とを分解する場合、止めねじ７を緩め、ホルダ部材６の固定を解除する。ホルダ部材６は、止めねじ７の緩め操作により、締め付け操作時と逆向きに回転するが、この回転は、ホルダ部材６に設けた押え片61，61の夫々が支え突起５の天板50上で滑り、ストッパ片52，52に当接することで拘束される。従って止めねじ７の緩め操作によるホルダ部材６の固定解除は、背面キャビネット２の外側から容易に実施することができる。
【００６０】
このときホルダ部材６の押え片61，61は、支え突起５の天板50上でストッパ片52，52と係合片53，53との間に位置するから、ホルダ部材６は、正面キャビネット１と背面キャビネット２との分離に伴って支え突起５から離れ、係合爪62が係合する押え突起４の側に移行し、ホルダ部材６に嵌合保持されたスピーカユニット３は、押え突起４を備える正面キャビネット１の側に残る。従って、分解点検に際し、正面キャビネットの側のパネルモジュールとの間の配線の始末が不要となり、点検前後の動作確認の実施を確実に実施することができる。
【００６１】
なお以上の実施の形態は、スピーカユニット３を位置決め固定する場合について述べたが、本発明は、正面キャビネット１と背面キャビネット２との間に配置される種々の機器ユニットの全般に適用可能である。
【００６２】
また以上の実施の形態は、液晶パネルを画像表示パネルとして備える液晶テレビジョン装置について述べたが、本発明は、プラズマ表示パネル等、他の画像表示パネルを備えるテレビジョン装置にも適用可能である。
【符号の説明】
【００６３】
１    正面キャビネット
２    背面キャビネット
３    スピーカユニット（機器ユニット）
４    押え突起
５    支え突起
６    ホルダ部材
７    止めねじ
34    ボス部
35    ブッシュ
40    係合孔
51    ねじ通し孔
52    ストッパ片
53    係合片
62    係合爪
63    ねじ孔
64    支柱
【図１】
2010288027.tif 000003
【図２】
2010288027.tif 000004
【図３】
2010288027.tif 000005
【図４】
2010288027.tif 000006
【図５】
2010288027.tif 000007
【図６】
2010288027.tif 000008
【図７】
2010288027.tif 000009
【図８】
2010288027.tif 000010